(57)【要約】【課題】  スキャナに原稿を読み取らせて得たデータをプリンタに用紙へ印刷させることにより原稿のコピーを行うにあたり、原稿や用紙の設定を操作性よく行うことができる。【解決手段】  メイン画面１００には、スキャナに読み取らせる原稿の種類の設定・表示を行う原稿選択設定ボタン１０６と、プリンタで印刷させる用紙の種類の設定・表示を行う用紙選択設定ボタン１０８が表示されている。このため、ユーザは、プリンタで印刷する用紙の種類を設定している途中でスキャナで読み取る原稿の種類として何を設定したかを確認したくなったとしても同画面１００上で直ちに確認することができるし、逆にスキャナで読み取る原稿の種類を設定している途中でプリンタで印刷する用紙の種類として何を設定したかを確認したくなったとしても同画面１００上で直ちに確認することができる。【選択図】        図３
2005341214.tif 000002
【特許請求の範囲】
【請求項１】
スキャナに原稿を読み取らせて得たデータをプリンタに用紙へ印刷させることにより原稿のコピーを行うコピー機能実現装置であって、
原稿の種類を設定するときに操作される原稿種類設定部、設定された原稿の種類を表示する原稿種類表示部、用紙の種類を設定するときに操作される用紙種類設定部及び設定された用紙の種類を表示する用紙種類表示部を一つのメイン画面に表示するメイン画面表示制御手段、
を備えたコピー機能実現装置。
【請求項２】
請求項１に記載のコピー機能実現装置であって、
原稿の種類に関する選択肢群を記憶する原稿選択肢群記憶手段と、
用紙の種類に関する選択肢群を記憶する用紙選択肢群記憶手段と、
前記メイン画面上の前記原稿種類設定部が操作されたとき前記原稿選択肢群記憶手段から前記選択肢群を読み出して表示し該表示した選択肢群の中の１つがユーザによって選択設定されたとき該設定された原稿の種類を前記原稿種類表示部に表示する原稿設定表示制御手段と、
前記メイン画面上の前記用紙種類設定部が操作されたとき前記用紙選択肢群記憶手段から前記選択肢群を読み出して表示し該表示した選択肢群の中の１つがユーザによって選択設定されたとき該設定された用紙の種類を前記用紙種類表示部に表示する用紙設定表示制御手段と、
を備えたコピー機能実現装置。
【請求項３】
前記原稿設定表示制御手段は、前記原稿種類設定部で今回設定された原稿種類が前回のものと異なるときには用紙種類を予め定められた所定値に設定して前記用紙種類表示部に該所定値を表示する、
請求項２に記載のコピー機能実現装置。
【請求項４】
前記メイン画面表示制御手段は、更に、前記スキャナに読み取らせて得たデータを前記プリンタに印刷させるにあたってのコピーサイズを設定するときに操作されるコピーサイズ設定部及び設定されたコピーサイズを表示するコピーサイズ表示部を前記メイン画面に表示する、
請求項１〜３のいずれかに記載のコピー機能実現装置。
【請求項５】
請求項４に記載のコピー機能実現装置であって、
コピーサイズに関する選択肢群を記憶するコピーサイズ選択肢群記憶手段と、
前記メイン画面上の前記コピーサイズ設定部が操作されたとき前記コピーサイズ選択肢群記憶手段から前記選択肢群を読み出して表示し該表示した選択肢群の中の１つがユーザによって選択設定されたとき該設定されたコピーサイズを前記コピーサイズ表示部に表示するコピーサイズ設定表示制御手段と、
を備えたコピー機能実現装置。
【請求項６】
前記原稿設定表示制御手段又は前記用紙設定表示制御手段は、前記原稿種類設定部で今回設定された原稿種類が前回のものと異なるとき又は前記用紙種類設定部で今回設定された用紙種類が前回のものと異なるときには、コピーサイズを予め定められた所定値に設定して前記コピーサイズ表示部に該所定値を表示する、
請求項２を引用する請求項５に記載のコピー機能実現装置。
【請求項７】
前記メイン画面表示制御手段は、更に、前記原稿表示部に表示された原稿の種類を参照して前記スキャナに原稿を読み取らせると共に該スキャナが読み取ったデータを前記用紙表示部に表示された用紙の種類を参照して前記プリンタに用紙へ印刷させるという一連のコピー動作をユーザが指示するときに操作されるコピー指示部を前記メイン画面に表示する、
請求項１〜６のいずれかに記載のコピー機能実現装置。
【請求項８】
前記メイン画面表示制御手段は、更に、スキャナを選択するときに操作されるスキャナ選択部及び選択されたスキャナを表示するスキャナ表示部を前記メイン画面に表示する、
請求項１〜７のいずれかに記載のコピー機能実現装置。
【請求項９】
請求項８に記載のコピー機能実現装置であって、
スキャナの選択肢群を記憶するスキャナ選択肢群記憶手段と、
前記メイン画面上の前記スキャナ選択部が操作されたとき前記スキャナ選択肢群記憶手段から前記選択肢群を読み出して表示し該表示した選択肢群の中の１つがユーザによって選択されたとき該選択されたスキャナを前記スキャナ表示部に表示するスキャナ選択表示制御手段と、
を備えたコピー機能実現装置。
【請求項１０】
前記スキャナ選択表示制御手段は、ユーザによって選択されたスキャナが前回のものと異なるときには原稿種類を予め定められた所定値に設定して前記原稿種類表示部に該所定値を表示する、
請求項９に記載のコピー機能実現装置。
【請求項１１】
前記メイン画面表示制御手段は、更に、プリンタを選択するときに操作されるプリンタ選択部及び選択されたプリンタを表示するプリンタ表示部を前記メイン画面に表示する、
請求項１〜１０のいずれかに記載のコピー機能実現装置。
【請求項１２】
請求項１１に記載のコピー機能実現装置であって、
プリンタの選択肢群を記憶するプリンタ選択肢群記憶手段と、
前記メイン画面上の前記プリンタ選択部が操作されたとき前記プリンタ選択肢群記憶手段から前記選択肢群を読み出して表示し該表示した選択肢群の中の１つがユーザによって選択されたとき該選択されたプリンタを前記プリンタ表示部に表示するプリンタ選択表示制御手段と、
を備えたコピー機能実現装置。
【請求項１３】
前記プリンタ設定表示制御手段は、ユーザによって選択されたプリンタが前回のものと異なるときにはコピーサイズを予め定められた所定値に設定して前記コピーサイズ表示部に該所定値を表示する、
請求項４〜６のいずれかを引用する請求項１２に記載のコピー機能実現装置。
【請求項１４】
前記プリンタ選択表示制御手段は、ユーザによって選択されたプリンタが前回のものと異なるときには用紙種類を予め定められた所定値に設定して前記用紙種類表示部に該所定値を表示する、
請求項１２又は１３に記載のコピー機能実現装置。
【請求項１５】
スキャナに原稿を読み取らせて得たデータをプリンタに用紙へ印刷させることにより原稿のコピーを行う、コンピュータ・ソフトウェアによるコピー機能実現方法であって、
（ａ）原稿の種類を設定するときに操作される原稿種類設定部、設定された原稿の種類を表示する原稿種類表示部、用紙の種類を設定するときに操作される用紙種類設定部及び設定された用紙の種類を表示する用紙種類表示部を一つのメイン画面に表示するステップと、
（ｂ）前記メイン画面上の前記原稿種類設定部が操作されたとき原稿選択肢群記憶手段から原稿種類の選択肢群を読み出して表示し該表示した選択肢群の中の１つがユーザによって選択設定されたとき該設定された原稿の種類を前記原稿種類表示部に表示するステップと、
（ｃ）前記メイン画面上の前記用紙種類設定部が操作されたとき用紙選択肢群記憶手段から用紙種類の選択肢群を読み出して表示し該表示した選択肢群の中の１つがユーザによって選択設定されたとき該設定された用紙の種類を前記用紙種類表示部に表示するステップと、
を含むコピー機能実現方法。
【請求項１６】
請求項１５に記載のコピー機能実現方法の各ステップをコンピュータに実行させる、コンピュータ・プログラム。
【発明の詳細な説明】
【技術分野】
【０００１】
本発明は、コピー機能実現装置、その方法及びそのプログラムに関し、詳しくは、スキャナに原稿を読み取らせて得たデータをプリンタに用紙へ印刷させることにより原稿のコピーを行うコピー機能実現装置、その方法及びそのプログラムに関する。
【背景技術】
【０００２】
従来、この種のコピー機能実現装置としては、コンピュータにスキャナやプリンタを接続した構成でコピー印刷を行うものが提案されている（例えば、特許文献１参照）。この装置では、スキャナで読み取った原稿の画像データをコンピュータを介してプリンタ側へ転送して用紙に印刷することにより原稿のコピー印刷を行なっている。
【特許文献１】特開２００４−８８１８７号公報（図１）
【発明の開示】
【発明が解決しようとする課題】
【０００３】
しかしながら、このようにコンピュータにスキャナやプリンタを接続してコピー印刷を行う場合、通常、ディスプレイにスキャナ設定画面を呼び出してスキャンする原稿に関する設定等をしたあと、続いてディスプレイにプリンタ設定画面を呼び出して印刷に関する設定等を行うことになるが、プリンタ設定画面で印刷用紙に関する設定を行っている途中でスキャナ設定画面の内容を確認したくなった場合には画面を切り替える必要があり、操作性がよくなかった。
【０００４】
本発明は、このような課題に鑑みなされたものであり、スキャナに原稿を読み取らせて得たデータをプリンタに用紙へ印刷させることにより原稿のコピーを行うにあたって、原稿や用紙の設定を操作性よく行うことができる装置や方法を提供することを目的の一つとする。また、この装置又は方法をコンピュータに実行させるためのプログラムを提供することを目的の一つとする。
【課題を解決するための手段】
【０００５】
本発明は、上述の目的の少なくとも一部を達成するために以下の手段を採った。
【０００６】
本発明は、スキャナに原稿を読み取らせて得たデータをプリンタに用紙へ印刷させることにより原稿のコピーを行うコピー機能実現装置であって、
原稿の種類を設定するときに操作される原稿種類設定部、設定された原稿の種類を表示する原稿種類表示部、用紙の種類を設定するときに操作される用紙種類設定部及び設定された用紙の種類を表示する用紙種類表示部を一つのメイン画面に表示するメイン画面表示制御手段、
を備えたものである。
【０００７】
このコピー機能実現装置では、一つのメイン画面に、原稿の種類を設定するときに操作される原稿種類設定部、設定された原稿の種類を表示する原稿種類表示部、用紙の種類を設定するときに操作される用紙種類設定部及び設定された用紙の種類を表示する用紙種類表示部が表示される。このため、ユーザは、プリンタで印刷する用紙の種類を設定している途中でスキャナで読み取る原稿の種類として何を設定したかを確認したくなったとしても直ちに確認することができるし、逆にスキャナで読み取る原稿の種類を設定している途中でプリンタで印刷する用紙の種類として何を設定したかを確認したくなったとしても直ちに確認することができる。したがって、ユーザは原稿や用紙の設定を操作性よく行うことができる。
【０００８】
本発明のコピー機能実現装置は、
原稿の種類に関する選択肢群を記憶する原稿選択肢群記憶手段と、
用紙の種類に関する選択肢群を記憶する用紙選択肢群記憶手段と、
前記メイン画面上の前記原稿種類設定部が操作されたとき前記原稿選択肢群記憶手段から前記選択肢群を読み出して表示し該表示した選択肢群の中の１つがユーザによって選択設定されたとき該設定された原稿の種類を前記原稿種類表示部に表示する原稿設定表示制御手段と、
前記メイン画面上の前記用紙種類設定部が操作されたとき前記用紙選択肢群記憶手段から前記選択肢群を読み出して表示し該表示した選択肢群の中の１つがユーザによって選択設定されたとき該設定された用紙の種類を前記用紙種類表示部に表示する用紙設定表示制御手段と、
を備えていてもよい。
【０００９】
こうすれば、ユーザは原稿の種類を設定するにあたっては原稿の種類に関する選択肢の中から１つを選択して設定すればよく、用紙の種類を設定するにあたっては用紙の種類に関する選択肢の中から１つを選択して設定すればよいため、原稿や用紙の設定を操作性よく行うことができる。
【００１０】
この態様において、前記原稿設定表示制御手段は、前記原稿種類設定部で今回設定された原稿種類が前回のものと異なるときには用紙種類を予め定められた所定値に設定して前記用紙種類表示部に該所定値を表示するようにしてもよい。スキャナで読み取る原稿の種類が変更されたときにはプリンタで印刷する用紙の種類を変更すべきことがあるため、この点を考慮したものである。ここで、「所定値」とは、例えば工業出荷時に定められた用紙種類であってもよいし、ユーザが適宜設定した用紙種類であってもよい。
【００１１】
本発明のコピー機能実現装置において、前記メイン画面表示制御手段は、更に、前記スキャナに読み取らせて得たデータを前記プリンタに印刷させるにあたってのコピーサイズを設定するときに操作されるコピーサイズ設定部及び設定されたコピーサイズを表示するコピーサイズ表示部を前記メイン画面に表示してもよい。スキャナで原稿を読み取って得たデータを拡大や縮小して印刷したり別のサイズの用紙に印刷したりすることはよく行われるが、このコピーサイズの設定もメイン画面上でできるため、操作性が一層よくなる。
【００１２】
この態様を備えたコピー機能実現装置において、コピーサイズに関する選択肢群を記憶するコピーサイズ選択肢群記憶手段と、前記メイン画面上の前記コピーサイズ設定部が操作されたとき前記コピーサイズ選択肢群記憶手段から前記選択肢群を読み出して表示し該表示した選択肢群の中の１つがユーザによって選択設定されたとき該設定されたコピーサイズを前記コピーサイズ表示部に表示するコピーサイズ設定表示制御手段と、を備えたものとしてもよい。こうすれば、ユーザはコピーサイズを設定するにあたってはコピーサイズに関する選択肢の中から１つを選択して設定すればよいため、コピーサイズの設定を操作性よく行うことができる。
【００１３】
ここで、前記原稿設定表示制御手段又は前記用紙設定表示制御手段は、前記原稿種類設定部で今回設定された原稿種類が前回のものと異なるとき又は前記用紙種類設定部で今回設定された用紙種類が前回のものと異なるときには、コピーサイズを予め定められた所定値に設定して前記コピーサイズ表示部に該所定値を表示するようにしてもよい。スキャナで読み取る原稿の種類やプリンタで印刷する用紙の種類が変更されたときにはコピーサイズを変更すべきことがあるため、この点を考慮したものである。ここで、「所定値」とは、例えば工業出荷時に定められたコピーサイズであってもよいし、ユーザが適宜設定したコピーサイズであってもよい。
【００１４】
本発明のコピー機能実現装置において、前記メイン画面表示制御手段は、更に、前記原稿表示部に表示された原稿の種類を参照して前記スキャナに原稿を読み取らせると共に該スキャナが読み取ったデータを前記用紙表示部に表示された用紙の種類を参照して前記プリンタに用紙へ印刷させるという一連のコピー動作をユーザが指示するときに操作されるコピー指示部を前記メイン画面に表示してもよい。こうすれば、コピーの指示もメイン画面上でできるため、操作性が一層よくなる。
【００１５】
本発明のコピー機能実現装置において、前記メイン画面表示制御手段は、更に、スキャナを選択するときに操作されるスキャナ選択部及び選択されたスキャナを表示するスキャナ表示部を前記メイン画面に表示してもよい。こうすれば、スキャナの機種を変更したい場合もメイン画面上で対処できるため、操作性が一層よくなる。
【００１６】
この態様を備えたコピー機能実現装置において、スキャナの選択肢群を記憶するスキャナ選択肢群記憶手段と、前記メイン画面上の前記スキャナ選択部が操作されたとき前記スキャナ選択肢群記憶手段から前記選択肢群を読み出して表示し該表示した選択肢群の中の１つがユーザによって選択されたとき該選択されたスキャナを前記スキャナ表示部に表示するスキャナ選択表示制御手段と、を備えるようにしてもよい。こうすれば、ユーザはスキャナを設定するにあたってスキャナの選択肢群の中から１つを選択して設定すればよいため、スキャナの設定を操作性よく行うことができる。
【００１７】
ここで、前記スキャナ選択表示制御手段は、ユーザによって選択されたスキャナが前回のものと異なるときには原稿種類を予め定められた所定値に設定して前記原稿種類表示部に該所定値を表示してもよい。スキャナの機種が変更されたときには読み取ることのできる原稿の種類を変更すべきことがあるため、この点を考慮したものである。ここで、「所定値」とは、例えば工業出荷時に定められた原稿種類であってもよいし、ユーザが適宜設定した原稿種類であってもよい。
【００１８】
本発明のコピー機能実現装置において、前記メイン画面表示制御手段は、更に、プリンタを選択するときに操作されるプリンタ選択部及び選択されたプリンタを表示するプリンタ表示部を前記メイン画面に表示してもよい。こうすれば、プリンタの機種を変更したい場合もメイン画面上で対処できるため、操作性が一層よくなる。
【００１９】
この態様を備えたコピー機能実現装置において、プリンタの選択肢群を記憶するプリンタ選択肢群記憶手段と、前記メイン画面上の前記プリンタ選択部が操作されたとき前記プリンタ選択肢群記憶手段から前記選択肢群を読み出して表示し該表示した選択肢群の中の１つがユーザによって選択されたとき該選択されたプリンタを前記プリンタ表示部に表示するプリンタ選択表示制御手段と、を備えるようにしてもよい。こうすれば、ユーザはプリンタを設定するにあたってプリンタの選択肢群の中から１つを選択して設定すればよいため、プリンタの設定を操作性よく行うことができる。
【００２０】
ここで、コピー機能実現装置がメイン画面にコピーサイズ表示部を表示するものである場合、前記プリンタ設定表示制御手段は、ユーザによって選択されたプリンタが前回のものと異なるときにはコピーサイズを予め定められた所定値に設定して前記コピーサイズ表示部に該所定値を表示してもよい。プリンタの機種が変更されたときにはコピーサイズも変更すべきことがあるため、この点を考慮したものである。また、前記プリンタ選択表示制御手段は、ユーザによって選択されたプリンタが前回のものと異なるときには用紙種類を予め定められた所定値に設定して前記用紙種類表示部に該所定値を表示してもよい。プリンタの機種が変更されたときには、コピーサイズも変更すべきことがあるため、この点を考慮したものである。ここで、「所定値」とは、例えば工業出荷時に定められたコピーサイズであってもよいし、ユーザが適宜設定したコピーサイズであってもよい。
【００２１】
本発明は、スキャナに原稿を読み取らせて得たデータをプリンタに用紙へ印刷させることにより原稿のコピーを行う、コンピュータ・ソフトウェアによるコピー機能実現方法であって、
（ａ）原稿の種類を設定するときに操作される原稿種類設定部、設定された原稿の種類を表示する原稿種類表示部、用紙の種類を設定するときに操作される用紙種類設定部及び設定された用紙の種類を表示する用紙種類表示部を一つのメイン画面に表示するステップと、
（ｂ）前記メイン画面上の前記原稿種類設定部が操作されたとき原稿選択肢群記憶手段から原稿種類の選択肢群を読み出して表示し該表示した選択肢群の中の１つがユーザによって選択設定されたとき該設定された原稿の種類を前記原稿種類表示部に表示するステップと、
（ｃ）前記メイン画面上の前記用紙種類設定部が操作されたとき用紙選択肢群記憶手段から用紙種類の選択肢群を読み出して表示し該表示した選択肢群の中の１つがユーザによって選択設定されたとき該設定された用紙の種類を前記用紙種類表示部に表示するステップと、
を含むものとしてもよい。
【００２２】
このコピー機能実現方法では、一つのメイン画面に、原稿の種類を設定するときに操作される原稿種類設定部、設定された原稿の種類を表示する原稿種類表示部、用紙の種類を設定するときに操作される用紙種類設定部及び設定された用紙の種類を表示する用紙種類表示部が表示される。このため、ユーザは、プリンタで印刷する用紙の種類を設定している途中でスキャナで読み取る原稿の種類として何を設定したかを確認したくなったとしても直ちに確認することができるし、逆にスキャナで読み取る原稿の種類を設定している途中でプリンタで印刷する用紙の種類として何を設定したかを確認したくなったとしても直ちに確認することができる。したがって、ユーザは原稿や用紙の設定を操作性よく行うことができる。また、ユーザは原稿の種類を設定するにあたっては原稿の種類に関する選択肢の中から１つを選択して設定すればよく、用紙の種類を設定するにあたっては用紙の種類に関する選択肢の中から１つを選択して設定すればよいため、原稿や用紙の設定を操作性よく行うことができる。なお、このコピー機能実現方法は、上述したコピー機能実現装置の有する各種手段等が行う作用・機能を実現するようなステップを含んでいてもよい。
【００２３】
本発明は、上述したコピー機能実現方法の各ステップをコンピュータに実行させるためのコンピュータプログラムとしてもよい。このプログラムは、１台のコンピュータに実行させてもよいし複数台のコンピュータに分担して実行させてもよい。このプログラムは、コンピュータが読み取り可能な記録媒体（例えばハードディスク、ＲＯＭ、ＦＤ、ＣＤ、ＤＶＤなど）に記録されていてもよいし、伝送媒体（インターネットやＬＡＮなどの通信網）を介してあるコンピュータから別のコンピュータへ配信されてもよいし、その他どのような形で授受されてもよい。このプログラムをコンピュータに実行させれば、上述したコピー機能実現方法と同様の作用効果が得られる。
【発明を実施するための最良の形態】
【００２４】
次に、本発明を実施するための最良の形態を実施例を用いて説明する。
【実施例】
【００２５】
図１は、本発明の一実施例としてのコピー機能実現装置としてのコンピュータ２０を含むシステムの構成の概略を示す構成図である。実施例のコンピュータ２０は、図示するように、ＣＰＵ２１やＲＯＭ２２、ＲＡＭ２３を中心として構成された周知のパーソナルコンピュータであり、データを記憶するハードディスクドライブ（ＨＤＤ）２４や各種データを表示するディスプレイ２５、外部機器との接続を司る外部インタフェース２６などを備え、外部インタフェース２６を介して接続されたスキャナ４０を用いて原稿を画像データとして読み取ると共にこの画像データを外部インタフェース２６を介して接続されたプリンタ５０を用いて印刷するコピー印刷を行う。また、コンピュータ２０には、外部インタフェース２６を介してポインティングデバイスとしてのマウス２７が接続されている。このため、ユーザは、ディスプレイ２５に表示された画面上のボタンや選択肢をマウス２７でクリックすることによりコンピュータ２０へ選択結果を入力することができる。なお、外部インタフェース２６としては、ＵＳＢインタフェースやＲＳ−２３２Ｃインタフェース，セントロニクスインタフェースなどを挙げることができる。
【００２６】
コンピュータ２０のＨＤＤ２４には、スキャナ４０やプリンタ５０のデバイスドライバとしてのスキャナ用ドライバ３０やプリンタ用ドライバ３２の他、本発明のコピー機能実現装置として機能させるためのコピー印刷プログラム３４がインストールされている。このコピー印刷プログラム３４に関する処理については後述する。
【００２７】
スキャナ４０は、一般的なフラットベッド方式のスキャナとして構成されており、ガラス台にセットされた原稿を光学的に走査すると共にその反射光をＣＣＤなどで読み取ってデジタルデータに変換する。プリンタ５０は、一般的なインクジェット方式のプリンタとして構成されており、コンピュータ２０から転送される印刷データに基づいて各色のインクを用紙に噴射して印刷する。スキャナ４０やプリンタ５０は、前述したスキャナ用ドライバ３０やプリンタ用ドライバ３２を介してコンピュータ２０との間でデータのやり取りなどを行っている。なお、スキャナ４０はフラットベッド方式以外の方式（例えば、自動給紙方式やハンディ方式など）のスキャナであっても構わないし、プリンタ５０はインクジェット方式以外の方式（例えば、電子写真方式など）のプリンタであっても構わない。
【００２８】
次に、こうして構成されたコンピュータ２０の動作について説明する。図２は、コンピュータ２０のＣＰＵ２１により実行されるコピー印刷処理の一例を示すフローチャートである。この処理は、前述したコピー印刷プログラム３４が起動されたときに実行される。
【００２９】
コピー印刷処理が開始されると、コンピュータ２０のＣＰＵ２１は、まず、各種ボタン等が表示されたメイン画面１００を表示する（ステップＳ１００）。図３は、メイン画面１００の一例を示す説明図である。メイン画面１００には、図示するように、画面左上から左下方向へ、スキャナの選択設定や表示を行うスキャナ欄１０２やプリンタの選択設定や表示を行うプリンタ欄１０４、スキャナ４０で読み取る原稿の種類の選択設定や表示を行う原稿選択設定ボタン１０６、プリンタ５０で印刷する用紙の選択設定や表示を行う用紙選択設定ボタン１０８、スキャナ４０で読み取る原稿からプリンタ５０で印刷する用紙へのコピーサイズの選択設定や表示を行うコピーサイズ選択設定ボタン１１０、操作説明などを簡単に表示するヘルプ情報表示領域１１２が配置されている。
【００３０】
具体的には、スキャナ欄１０２は、スキャナを選択設定するときに操作されるスキャナ選択設定ボタン１０２ａと、選択設定されたスキャナを表示するスキャナ表示部１０２ｂとを備えている。また、プリンタ欄１０４は、プリンタを選択設定するときに操作されるプリンタ選択設定ボタン１０４ａと、選択設定されたプリンタを表示するプリンタ表示部１０４ｂとを備えている。また、原稿選択設定ボタン１０６は、原稿のサイズ種類を選択設定するときに操作するボタン上に、選択設定された原稿の種類が表示されたものであり、言うなれば選択設定部と表示部とが一体化されたものである。これと同じく、用紙選択設定ボタン１０８やコピーサイズ選択設定ボタン１１０も、選択設定部と表示部とが一体化されたものである。
【００３１】
また、メイン画面１００には、画面右上から右下方向へ、スキャナ４０により付加的に行なわれる画像処理を指定する付加処理チェックボックス１１４〜１１８や画像の明るさを調整する明るさ調整スライダ１２０、画像のコントラストを調整するコントラスト調整スライダ１２２、コピー枚数を設定するコピー枚数設定欄１２４、スキャナ４０で原稿を読み取りその読み取ったデータをプリンタ５０で用紙に印刷するというコピー印刷を開始するためのコピー実行ボタン１２６、細かな画質調整や画像編集を伴ってコピー印刷を行なうためのカスタムコピー実行ボタン１２８が配置されている。付加処理チェックボックスとしては、図示するように、色あせた写真などを元の色に復元する処理を伴ってスキャンする退色復元チェックボックス１１４やガラス台などに付着したホコリを除外する処理を伴ってスキャンするホコリ除去チェックボックス１１６、かすれている線画や潰れている文字などをきれいにする処理を伴ってスキャンする文字くっきりチェックボックス１１８などが挙げられる。
【００３２】
さて、ステップＳ１００に続いて、コンピュータ２０のＣＰＵ２１は、マウス２７を介していずれかの選択設定ボタンがオンされたか否かを判定し（ステップＳ１１０）、いずれかの選択設定ボタンがオンされたときには、そのオンされた選択設定ボタンに応じたルーチンをＨＤＤ２４から読み出してそのルーチンを実行する（ステップＳ１２０）。なお、各ルーチンの詳細については後述する。そして、ステップＳ１２０のあと、あるいは、ステップＳ１１０でいずれの選択設定ボタンもオンされなかったときには、コンピュータ２０のＣＰＵ２１は、マウス２７を介してコピー実行ボタン１２６がオンされたか否かを判定し（ステップＳ１３０）、コピー実行ボタン１２６がオンされていないときには再びステップＳ１１０に戻り、コピー実行ボタン１２６がオンされたときには、スキャナ欄１０２のスキャナ表示部１０２ｂに表示されているスキャナ４０に対してスキャン指令を出力する（ステップＳ１４０）。このスキャン指令には、原稿選択設定ボタン１０６によって選択設定された原稿の種類が含まれる。例えば、原稿の種類として「写真」が設定されているときには「モノクロ文書」や「カラー文書」のときに比べて高い解像度で原稿を読み取ることになる。そして、スキャナ４０による原稿の読み取りが完了したあと、コンピュータ２０のＣＰＵ２１はプリンタ欄１０４のプリンタ表示部１０４ｂに表示されているプリンタ５０に対して印刷指令を出力し（ステップＳ１５０）、このコピー印刷処理を終了する。この印刷指令には、原稿選択設定ボタン１０６によって選択設定された原稿の種類や用紙選択設定ボタン１０８によって選択設定された用紙のサイズ種類が含まれる。例えば、原稿の種類が「写真」で用紙の種類が「写真専用紙」のときには原稿の種類が「写真」で用紙の種類が「普通紙」のときに比べて高解像度で印刷することになり、原稿の種類が「モノクロ文書」で用紙の種類が「普通紙」のときには原稿の種類が「写真」で用紙の種類が「普通紙」のときに比べて低解像度で印刷することになる。
【００３３】
次に、先ほどのステップＳ１１０における処理について、詳細に説明する。
【００３４】
まず、スキャナ欄１０２のスキャナ選択設定ボタン１０２ａがオンされた場合について、図４のフローチャートに基づいて説明する。スキャナ選択設定ボタン１０２ａがオンされると、コンピュータ２０のＣＰＵ２１は、まず、図５に示すように、スキャナ選択肢が一覧表示されたドロップダウンリスト１０２ｃをＨＤＤ２４から読み出してメイン画面１００に重ねて表示する（ステップＳ２１０）。このときスキャナ選択肢として表示されるのは、コンピュータ２０にドライバがインストールされているすべてのスキャナである。続いて、ドロップダウンリスト１０２ｃに表示されたスキャナ選択肢の中からマウス２７を介して所望のスキャナが選択されたか否かを判定し（ステップＳ２２０）、スキャナが選択されていないときには再びステップＳ２２０に戻り、スキャナが選択されたときにはドロップダウンリスト１０２ｃを消去し（ステップＳ２３０）、選択されたスキャナをスキャナ欄１０２のスキャナ表示部１０２ｂに表示する（ステップＳ２４０）。続いて、コンピュータ２０のＣＰＵ２１は、今回選択されたスキャナと前回のものとが同じか否かを判定し（ステップＳ２５０）、前回のものと同じときにはそのままこのルーチンを終了し、前回のものから変更されていたときには原稿選択設定ボタン１０６に表示されている原稿の種類を初期値に戻し（ステップＳ２６０）、その後このルーチンを終了する。このルーチンが終了すると、ディスプレイ２５はメイン画面１００が表示された状態となる。ここで、初期値は、初回は工場出荷時の値であるが、２回目以降は前回使用した値となる（以下同じ）。また、ステップＳ２５０で原稿の種類を初期値に戻すのは、スキャナが変更されたときには前回のスキャナと比べて読み取れる原稿の種類が異なることがあることからユーザに再設定を促すためである。
【００３５】
次に、プリンタ欄１０４のプリンタ選択設定ボタン１０４ａがオンされた場合について、図６のフローチャートに基づいて説明する。プリンタ選択設定ボタン１０４ａがオンされると、コンピュータ２０のＣＰＵ２１は、まず、図７に示すように、プリンタ選択肢が一覧表示されたドロップダウンリスト１０４ｃをＨＤＤ２４から読み出してメイン画面１００に重ねて表示する（ステップＳ３１０）。このときプリンタ選択肢として表示されるのは、コンピュータ２０にドライバがインストールされているすべてのプリンタである。続いて、ドロップダウンリスト１０４ｃに表示されたプリンタ選択肢の中からマウス２７を介して所望のプリンタが選択されたか否かを判定し（ステップＳ３２０）、プリンタが選択されていないときには再びステップＳ３２０に戻り、プリンタが選択されたときにはドロップダウンリスト１０４ｃを消去し（ステップＳ３３０）、選択されたプリンタをプリンタ欄１０４のプリンタ表示部１０４ｂに表示する（ステップＳ３４０）。続いて、コンピュータ２０のＣＰＵ２１は、今回選択されたプリンタと前回のものとが同じか否かを判定し（ステップＳ３５０）、前回のものと同じときにはそのままこのルーチンを終了し、前回のものから変更されていたときには用紙選択設定ボタン１０８に表示されている用紙のサイズ種類とコピーサイズ選択設定ボタン１１０に表示されているコピーサイズをそれぞれ初期値に戻し（ステップＳ３６０）、その後このルーチンを終了する。このルーチンが終了すると、ディスプレイ２５はメイン画面１００が表示された状態となる。ステップＳ３６０で用紙のサイズ種類やコピーサイズを初期値に戻すのは、プリンタが変更されたときには前回のプリンタと比べて印刷可能な用紙のサイズ種類が異なることがあったりコピーサイズを変更したいことがあったりすることからユーザに再設定を促すためである。
【００３６】
次に、原稿選択設定ボタン１０６がオンされた場合について、図８のフローチャートに基づいて説明する。原稿選択設定ボタン１０６がオンされると、コンピュータ２０のＣＰＵ２１は、まず、図９に示すように、原稿の種類の選択肢を表す選択ボタン２０１〜２０５が並んだ原稿選択画面２００をＨＤＤ２４から読み出してディスプレイ２５に表示する（ステップＳ４１０）。このとき選択ボタン２０１〜２０５として表示されるのは、「カラー文書」「モノクロ文書」「写真」「ネガフィルム」「ポジフィルム」の５つに予め決められており、前２者は文書を読み取ることを目的とする文書モードであり、後３者は写真を読み取ることを目的とするフォトモードである。このうち、「カラー文書」ではカラーで原稿をスキャンし印刷時にはプリンタをカラーモードで印刷し、「モノクロ文書」ではグレースケールで原稿をスキャンし印刷時にはプリンタをモノクロモードで印刷し、「写真」では反射原稿である写真をスキャンし、「ネガフィルム」では透過原稿であるネガフィルムをスキャンし、「ポジフィルム」では透過原稿であるポジフィルムをスキャンする。
【００３７】
ステップＳ４１０のあと、コンピュータ２０のＣＰＵ２１は、原稿選択画面２００に表示された選択ボタン２０１〜２０５の中からマウス２７を介して所望の選択ボタンが選択されたか否かを判定し（ステップＳ４２０）、選択ボタンが選択されていないときには再びステップＳ４２０に戻り、選択ボタンが選択されたときには原稿選択画面２００を消去し（ステップＳ４３０）、選択された原稿の種類を、原稿選択設定ボタン１０６上への表示内容としてＲＡＭ２２の所定領域に記憶する（ステップＳ４４０）。続いて、今回選択された原稿の種類と前回のものとが同じか否かを判定し（ステップＳ４５０）、前回のものと同じときにはディスプレイ２５にメイン画面１００を表示し（ステップＳ４７０）、このルーチンを終了する。このときのメイン画面１００は今回のルーチンが実行される前と同じ内容である。一方、ステップＳ４５０で今回選択された原稿が前回のものから変更されていたときには、用紙選択設定ボタン１０８に表示されている用紙のサイズ種類とコピーサイズ選択設定ボタン１１０に表示されているコピーサイズをそれぞれ初期値に戻し（ステップＳ４６０）、その後ディスプレイ２５にメイン画面１００を表示し（ステップＳ４７０）、このルーチンを終了する。このときのメイン画面１００は、今回のルーチンが実行される前と比べて原稿選択設定ボタン１０６上の表示内容が変更され、用紙選択設定ボタン１０８上やコピーサイズ選択設定ボタン１１０上の表示内容が初期値のものである。なお、ステップＳ４２０での選択ボタンの選択は、選択ボタン２０１〜２０５の中の１つをマウス２７でクリックしたあと原稿選択画面２００のＯＫボタンをマウス２７でクリックすることにより行う。また、ステップＳ４６０で用紙のサイズ種類やコピーサイズを初期値に戻すのは、スキャナ４０で読み取る原稿が変更されたときには印刷用紙のサイズ種類やコピーサイズを変更したいことがあることからユーザに再設定を促すためである。
【００３８】
次に、用紙選択設定ボタン１０８がオンされた場合について、図１０のフローチャートに基づいて説明する。用紙選択設定ボタン１０８がオンされると、コンピュータ２０のＣＰＵ２１は、まず、原稿選択設定ボタン１０６で設定された原稿の種類がフォトモードか文書モードかを判定し（ステップＳ５００）、フォトモードのときには、図１１（ａ）に示すようにフォトモードでの用紙のサイズ種類の選択肢を表す選択ボタン３０１〜３０５が並んだ用紙選択画面３００をＨＤＤ２４から読み出してディスプレイ２５に表示し（ステップＳ５０５）、文書モードのときには、図１１（ｂ）に示すように、文書モードでの用紙のサイズ種類の選択肢を表す選択ボタン３０６〜３０８が並んだ用紙選択画面４００をＨＤＤ２４から読み出してディスプレイ２５に表示する（ステップＳ５１０）。
【００３９】
ここで、フォトモードの選択ボタン３０１〜３０５として表示されるのは、「写真用紙Ｌ判」「写真用紙２Ｌ判」「写真用紙Ａ４」「フォトマット紙Ａ４」「普通紙Ａ４」の５つに予め決められており、普通紙以外は普通紙に比べて印刷時にきれいに印刷するためにプリンタの紙送り速度が低速となる。また、文書モードの選択ボタン３０６〜３０８として表示されるのは、「普通紙Ａ４」「専用紙Ａ４」「普通紙Ｂ５」の３つに予め決められている。なお、フォトモードの選択ボタンや文書モードの選択ボタンとして何が表示されるかは、プリンタ欄１０４で選択設定されたプリンタに依存して予め決められている。
【００４０】
ステップＳ５１０のあと、コンピュータ２０のＣＰＵ２１は、用紙選択画面３００に表示された選択ボタン３０１〜３０５又は選択ボタン３０６〜３０９の中からマウス２７を介して所望の選択ボタンが選択されたか否かを判定し（ステップＳ５２０）、選択ボタンが選択されていないときには再びステップＳ５２０に戻り、選択ボタンが選択されたときには用紙選択画面３００を消去し（ステップＳ５３０）、選択された用紙のサイズ種類を、用紙選択設定ボタン１０８上への表示内容としてＲＡＭ２２の所定領域に記憶する（ステップＳ５４０）。続いて、今回選択された用紙のサイズ種類と前回のものとが同じか否かを判定し（ステップＳ５５０）、前回のものと同じときにはディスプレイ２５にメイン画面１００を表示し（ステップＳ５７０）、このルーチンを終了する。このときのメイン画面１００は今回のルーチンが実行される前と同じ内容である。一方、ステップＳ５５０で今回選択された用紙のサイズ種類が前回のものから変更されていたときには、コピーサイズ選択設定ボタン１１０に表示されているコピーサイズを初期値に戻し（ステップＳ５６０）、その後ディスプレイ２５にメイン画面１００を表示し（ステップＳ５７０）、このルーチンを終了する。このときのメイン画面１００は、今回のルーチンが実行される前と比べて用紙選択設定ボタン１０８上の表示内容が変更され、コピーサイズ選択設定ボタン１１０上の表示内容が初期値のものである。なお、ステップＳ５２０での選択ボタンの選択は、所望の選択ボタン３０１〜３０９をマウス２７でクリックしたあと用紙選択画面３００のＯＫボタンをマウス２７でクリックすることにより行う。また、ステップＳ５６０でコピーサイズを初期値に戻すのは、プリンタ５０で印刷する用紙が変更されたときにはコピーサイズを変更したいことがあることからユーザに再設定を促すためである。
【００４１】
次に、コピーサイズ選択設定ボタン１１０がオンされた場合について、図１２のフローチャートに基づいて説明する。コピーサイズ選択設定ボタン１１０がオンされると、コンピュータ２０のＣＰＵ２１は、まず、原稿選択設定ボタン１０６で設定された原稿の種類がフォトモードか文書モードかを判定し（ステップＳ６００）、フォトモードのときには、図１３（ａ）に示すようにフォトモードでのコピーサイズの選択肢を表す選択ボタン４０１〜４０６が並んだコピーサイズ選択画面４００をＨＤＤ２４から読み出してディスプレイ２５に表示し（ステップＳ６０５）、文書モードのときには、図１３（ｂ）に示すように、文書モードでのコピーサイズの選択肢を表す選択ボタン４０７〜４１２が並んだコピーサイズ選択画面４００をＨＤＤ２４から読み出してディスプレイ２５に表示する（ステップＳ６１０）。
【００４２】
ここで、フォトモードの選択ボタン４０１〜４０６として表示されるのは、「Ｌ判」「２Ｌ判」「六ツ切」「パノラマ」「印刷用紙フチあり」「印刷用紙フチなし」の６つに予め決められている。例えば、原稿の種類が「写真」で用紙の種類が「写真用紙Ａ４」のときにコピーサイズが「Ｌ判」だとすると、Ａ４の写真用紙上にＬ判の大きさで写真画像が印刷される。また、文書モードの選択ボタン４０７〜４１２として表示されるのは、「１００％」「８６％」「８１％」「７０％」「１４１％」「１２２％」の６つに予め決められている。例えば、原稿の種類が「モノクロ文書」で用紙の種類が「普通紙Ａ４」のときにコピーサイズが「１００％」だとすると、Ａ４の普通紙上にＡ４の大きさで文書データが印刷される。なお、フォトモードの選択ボタンや文書モードの選択ボタンとして何が表示されるかは、用紙選択設定ボタン１０８で選択設定された用紙のサイズ種類に依存して予め決められている。
【００４３】
そして、ステップＳ６１０のあと、コンピュータ２０のＣＰＵ２１は、コピーサイズ選択画面４００に表示された選択ボタン４０１〜４０６又は選択ボタン４０７〜４１２の中からマウス２７を介して所望の選択ボタンが選択されたか否かを判定し（ステップＳ６２０）、選択ボタンが選択されていないときには再びステップＳ６２０に戻り、選択ボタンが選択されたときにはコピーサイズ選択画面４００を消去し（ステップＳ６３０）、選択されたコピーサイズを、コピーサイズ選択設定ボタン１１０上への表示内容としてＲＡＭ２２の所定領域に記憶し（ステップＳ６４０）、最後にディスプレイ２５にメイン画面１００を表示し（ステップＳ６５０）、このルーチンを終了する。このときのメイン画面１００は、今回のルーチンでコピーサイズが前回のものから変更されていればコピーサイズ選択設定ボタン１１０上の表示内容が変更され、変更されていなければ今回のルーチンが実行される前と同じである。
【００４４】
ここで、本実施形態の構成要素と本発明の構成要素との対応関係を明らかにする。本実施形態のコンピュータ２０が本発明のコピー機能実現装置に相当する。また、ＨＤＤ２４が原稿選択肢群記憶手段、用紙選択肢群記憶手段、コピーサイズ選択肢群記憶手段、スキャナ選択肢群記憶手段及びプリンタ選択肢群記憶手段に相当する。また、ＣＰＵ２１がメイン画面表示制御手段、原稿設定表示制御手段、用紙設定表示制御手段、コピーサイズ設定表示制御手段、スキャナ選択表示制御手段及びプリンタ選択表示制御手段に相当する。また、原稿選択設定ボタン１０６が原稿種類設定部及び原稿種類表示部に相当し、用紙選択設定ボタン１０８が用紙種類設定部及び用紙種類表示部に相当する。
【００４５】
以上詳述した本実施形態によれば、ユーザは、メイン画面１００を開き、プリンタ５０で印刷する用紙の種類を設定している途中でスキャナ４０で読み取る原稿の種類として何を設定したかを確認したくなったとしても同画面１００上で直ちに確認することができるし、逆にスキャナ４０で読み取る原稿の種類を設定している途中でプリンタ５０で印刷する用紙の種類として何を設定したかを確認したくなったとしても同画面１００上で直ちに確認することができる。したがって、ユーザは原稿や用紙の設定を操作性よく行うことができる。また、スキャナ４０で原稿を読み取って得たデータを拡大や縮小して印刷したり別のサイズの用紙に印刷したりすることはよく行われるが、このコピーサイズの設定もメイン画面１００上でできるため、操作性が一層よくなる。更に、コピーの指示もメイン画面１００上のコピー実行ボタン１２６で行うことができるしスキャナ４０やプリンタ５０の機種を変更したい場合もメイン画面１００上で対処できるため、操作性が一層よくなる。
【００４６】
そして、ユーザは原稿の種類を設定するにあたっては原稿選択画面２００の原稿の種類に関する選択ボタン２０１〜２０５の中から１つを選択して設定すればよく、用紙の種類を設定するにあたっては用紙選択画面３００の用紙の種類に関する選択ボタン３０１〜３０５，３０６〜３０９の中から１つを選択して設定すればよく、コピーサイズを設定するにあたってはコピーサイズ選択画面４００のコピーサイズに関する選択ボタン４０１〜４０６，４０７〜４１２の中から１つを選択して設定すればよいため、原稿や用紙、コピーサイズの設定を操作性よく行うことができる。また、ユーザはスキャナやプリンタを設定するにあたってドロップダウンリスト１０２ｃ，１０４ｃに表示された選択肢群の中から１つを選択して設定すればよいため、スキャナやプリンタの設定を操作性よく行うことができる。
【００４７】
そして、スキャナ４０で読み取らせる原稿の種類を変更したときには、プリンタ５０で印刷させる用紙の種類やコピーサイズを初期値に戻すことによりユーザにこれらの再設定を促し、プリンタ５０に印刷させる用紙の種類を変更したときには、コピーサイズを初期値に戻すことによりユーザにコピーサイズの再設定を促す。また、スキャナを変更したときには原稿の種類を初期値に戻すことによりユーザに原稿の種類の再設定を促し、プリンタを変更したときには用紙の種類やコピーサイズを初期値に戻すことによりユーザにこれらの再設定を促す。
【００４８】
そして、上述した実施形態では、原稿の種類と用紙の種類に応じてスキャン解像度や印刷速度を自動設定するため、特に初心者のユーザであっても満足度の高いコピー操作を行うことができる。
【００４９】
なお、本発明は上述した実施形態に何ら限定されることはなく、本発明の技術的範囲に属する限り種々の態様で実施し得ることはいうまでもない。
【００５０】
例えば、上述した実施形態では、原稿の種類を選択設定する原稿種類設定部としての機能と選択された原稿の種類を表示する原稿種類表示部としての機能を併せ持つ原稿選択設定ボタン１０６を採用したが、原稿種類設定部と原稿種類表示部とをそれぞれ個別に設けてもよく、この場合も上述した実施形態と同様の作用効果が得られる。この点は、用紙選択設定ボタン１０８やコピーサイズ選択設定ボタン１１０も同様である。
【００５１】
また、上述した実施形態では、スキャナ欄１０２にスキャナ選択設定ボタン１０２ａを設けてスキャナを選択設定できるようにしたが、スキャナ欄１０２をスキャナ表示部１０２ｂのみで構成してもよい。また、プリンタ欄１０４にプリンタ選択設定ボタン１０４ａを設けてプリンタを選択設定できるようにしたが、プリンタ欄１０４をプリンタ表示部１０４ｂのみで構成してもよい。この場合も、スキャナ４０やプリンタ５０の機種の確認は行うことができる。
【００５２】
更に、上述した実施形態では、コピーサイズ選択設定ボタン１１０を設けたが、これを省略してもよい。この場合も、スキャナ４０で読み取らせる原稿の種類の設定や確認を原稿選択設定ボタン１０６で行い、プリンタ５０で印刷させる用紙の種類の設定や確認を用紙選択設定ボタン１０８で行うことができる。
【図面の簡単な説明】
【００５３】
【図１】コンピュータ２０を含むシステムの構成の概略を示す構成図。
【図２】コピー印刷処理の一例を示すフローチャート。
【図３】メイン画面１００の一例を示す説明図。
【図４】スキャナ設定表示ルーチンの一例を示すフローチャート。
【図５】スキャナ選択時のメイン画面１００の一例を示す説明図。
【図６】プリンタ設定表示ルーチンの一例を示すフローチャート。
【図７】プリンタ選択時のメイン画面１００の一例を示す説明図。
【図８】原稿設定表示ルーチンの一例を示すフローチャート。
【図９】原稿選択画面２００の一例を示す説明図。
【図１０】用紙設定表示ルーチンの一例を示すフローチャート。
【図１１】用紙選択画面３００の一例を示す説明図。
【図１２】コピーサイズ設定表示ルーチンの一例を示すフローチャート。
【図１３】コピーサイズ選択画面４００の一例を示す説明図。
【符号の説明】
【００５４】
２０  コンピュータ、２１  ＣＰＵ、２２  ＲＯＭ、２３  ＲＡＭ、２４  ＨＤＤ、２５  ディスプレイ、２６  外部インタフェース、２７  マウス、３０  スキャナ用ドライバ、３２  プリンタ用ドライバ、３４  コピー印刷プログラム、４０  スキャナ、５０  プリンタ、１００  メイン画面、１０２  スキャナ欄、１０２ａ  スキャナ選択設定ボタン、１０２ｂ  スキャナ表示部、１０２ｃ  ドロップダウンリスト、１０４  プリンタ欄、１０４ａ  プリンタ選択設定ボタン、１０４ｂ  プリンタ表示部、１０４ｃ  ドロップダウンリスト、１０６  原稿選択設定ボタン、１０８  用紙選択設定ボタン、１１０  コピーサイズ選択設定ボタン、１１２  ヘルプ情報表示領域、１１４  退色復元チェックボックス、１１６  ホコリ除去チェックボックス、１１８  文字くっきりチェックボックス、１２０  明るさ調整スライダ、１２２  コントラスト調整スライダ、１２４  コピー枚数設定欄、１２６  コピー実行ボタン、１２８  カスタムコピー実行ボタン、２００  原稿選択画面、３００  用紙選択画面、４００  コピーサイズ選択画面。
【図１】
2005341214.tif 000003
【図２】
2005341214.tif 000004
【図３】
2005341214.tif 000005
【図４】
2005341214.tif 000006
【図５】
2005341214.tif 000007
【図６】
2005341214.tif 000008
【図７】
2005341214.tif 000009
【図８】
2005341214.tif 000010
【図９】
2005341214.tif 000011
【図１０】
2005341214.tif 000012
【図１１】
2005341214.tif 000013
【図１２】
2005341214.tif 000014
【図１３】
2005341214.tif 000015